(57)【特許請求の範囲】
【請求項１】
ネットワーク間ローミングの実現方法であって、
身分標識と位置標識との分離するネットワークにアプリケーションされ、該ネットワークにおいて、アクセス標識（ＡＩＤ）を端末のユーザー身分標識とし、ルート標識（ＲＩＤ）を端末の位置標識とし、
ローミング端末がローミング場所ネットワークのアクセスサービスノード（ＡＳＮ）にアタッチメントされてから、目的設備に最初のデータパケットを送信し、該最初のデータパケットの目的アドレスが目的設備のＡＩＤであることと、
ローミング場所のネットワークのＡＳＮが最初のデータパケットを受信してから、ローミング場所のネットワークのＡＳＮローカルでＡＩＤ−ＲＩＤのマッピング情報を問合せ、目的設備のＲＩＤを探し出さなく、且つ目的設備がローミング場所ネットワークに属しないと、ローミングゲートウェイに目的設備のＲＩＤへの問合せを請求することと、
ローミングゲートウェイが目的設備のホームネットワークから目的設備のＲＩＤを問合せ、且つローミング場所のネットワークのＡＳＮにフィードバックすることと、
ローミング場所のネットワークのＡＳＮが目的設備のＲＩＤによって、目的設備にローミング端末の後続のデータパケットを送信することとを含み、
ここで、前記ローミング場所のネットワークのＡＳＮがローミングゲートウェイに目的設備のＲＩＤへの問合せを請求する時、さらに前記最初のデータパケットをローミングゲートウェイに送信し、
ローミングゲートウェイが目的設備のホームネットワークから目的設備のＲＩＤを問合せる時、さらに前記最初のデータパケットを目的設備のホームネットワークに送信し、
目的設備のホームネットワークが目的設備のＲＩＤを問合せた後、該問い合わせられたＲＩＤによって前記最初のデータパケットを目的ＡＳＮに送信することを特徴とするネットワーク間ローミングの実現方法。
【請求項２】
前記ローミング場所のネットワークのＡＳＮがローミングゲートウェイに目的設備のＲＩＤへの問合せを請求するのは、前記ローミング場所のネットワークのＡＳＮが目的設備のＡＩＤをローミングゲートウェイに送信し、目的設備のＲＩＤへの問合せを請求するステップを含み、
前記ローミングゲートウェイが目的設備のホームネットワークから目的設備のＲＩＤを問合せ、且つローミング場所のネットワークのＡＳＮにフィードバックするのは、
ローミングゲートウェイが目的設備のＡＩＤを受信してから、該ＡＩＤを解析して目的設備のホームネットワークを取得し、目的設備のＡＩＤを該目的設備のホームネットワークのマッピング転送平面に送信し、目的設備のＲＩＤへの問合せを請求するステップと、
目的設備のホームネットワークのマッピング転送平面が目的設備のＡＩＤによって対応のＲＩＤを問合せた後、目的設備のＡＩＤ−ＲＩＤのマッピング情報をローミングゲートウェイに送信し、ローミングゲートウェイが保存してから、ローミング場所のネットワークのＡＳＮに転送するステップとを含む請求項１に記載の方法。
【請求項３】
前記ローミング端末がローミング場所のネットワークのＡＳＮにアタッチメントされるのは、
ローミング端末がローミング場所のネットワークのＡＳＮにアタッチメントを請求し、ローミング端末のＡＩＤを該ローミング場所のネットワークのＡＳＮに送信することと、
ローミング場所のネットワークのＡＳＮがローミング端末のＡＩＤによってローミング端末がローカルネットワークに属しないことを識別し、ローミングゲートウェイにアクセスを請求することと、
ローミングゲートウェイがローミング端末のＡＩＤによってローミング端末のホームネットワークを探し、ローミング端末のホームネットワークの認証センターに認証を請求することと、
認証センターがローミング端末を認証してから、認証結果をローミングゲートウェイに知らせることと、
ローミングゲートウェイがアクセス結果をローミング場所のネットワークのＡＳＮに知らせ、ローミング場所のネットワークのＡＳＮがアタッチメント結果をローミング端末に知らせることと、を含む請求項１に記載の方法。
【請求項４】
前記ローミング場所のネットワークのＡＳＮが目的設備のＲＩＤによって、目的設備にローミング端末の後続のデータパケットを送信するのは、
ローミングネットワークにおけるＡＳＮがローミング端末のデータパケットを再カプセル化し、目的設備のＲＩＤとローミング端末のＲＩＤとをそれぞれ再カプセル化されたデータパケットの目的アドレスとソースアドレスとして用い、目的ＡＳＮとの間の媒体面チャンネルによって該再カプセル化されたデータパケットを目的ＡＳＮに送信するステップと、
目的ＡＳＮが、受信したローミングネットワークにおけるＡＳＮによって再カプセル化されたデータパケットを逆カプセル化して、ローミング端末のデータパケットに回復し、目的設備に送信するステップを含む請求項１に記載の方法。
【請求項５】
前記ローミング場所のネットワークのＡＳＮが目的設備のＲＩＤによって、目的設備にローミング端末の後続のデータパケットを送信するのは、
ローミングネットワークにおけるＡＳＮがローミング端末のデータパケットを再カプセル化し、目的設備のＲＩＤとローミング端末のＲＩＤとをそれぞれ再カプセル化されたデータパケットの目的アドレスとソースアドレスとして用い、該再カプセル化されたデータパケットをローミングゲートウェイに送信するステップと、
ローミングゲートウェイが目的設備のＲＩＤによって、該再カプセル化されたデータパケットを目的ＡＳＮに送信するステップと、
目的ＡＳＮが、受信したローミングネットワークにおけるＡＳＮによって再カプセル化されたデータパケットを逆カプセル化して、ローミング端末のデータパケットに回復し、目的設備に送信するステップと、を含む請求項１に記載の方法。
【請求項６】
前記ローミング場所のネットワークのＡＳＮが目的設備のＡＩＤをローミングゲートウェイに送信し、目的設備のＲＩＤへの問合せを請求するのは、前記ローミング場所のネットワークのＡＳＮがローミングゲートウェイにＡＩＤ−ＲＩＤ問合せメッセージを送信することによって、該ＡＩＤ−ＲＩＤ問合せメッセージにおいて目的設備のＡＩＤを携帯し、目的設備のＲＩＤへの問合せを請求するステップを含み、
前記ローミングゲートウェイが目的設備のＡＩＤを該目的設備のホームネットワークのマッピング転送平面に送信し、目的設備のＲＩＤへの問合せを請求するのは、前記ローミングゲートウェイが目的設備のホームネットワークのマッピング転送平面にＡＩＤ−ＲＩＤ請求メッセージを送信することによって、該ＡＩＤ−ＲＩＤ請求メッセージにおいて目的設備のＡＩＤを携帯し、目的設備のＲＩＤへの問合せを請求するステップを含み、
前記目的設備のホームネットワークのマッピング転送平面が目的設備のＡＩＤ−ＲＩＤのマッピング情報をローミングゲートウェイに送信するのは、目的設備のホームネットワークのマッピング転送平面がローミングゲートウェイにＡＩＤ−ＲＩＤ請求結果メッセージをフィードバックすることによって、目的設備のＡＩＤとＲＩＤとのマッピング情報をローミングゲートウェイに送信するステップを含み、
前記ローミングゲートウェイが目的設備のＡＩＤ−ＲＩＤのマッピング情報にローミング場所のネットワークのＡＳＮに転送するのは、ローミングゲートウェイがローミング場所のネットワークのＡＳＮにＡＩＤ−ＲＩＤ問合せ結果メッセージを送信することによって、目的設備のＡＩＤとＲＩＤとのマッピング情報をローミング場所のネットワークのＡ
ＳＮに送信するステップを含む請求項２に記載の方法。
【請求項７】
前記ローミング端末がローミング場所のネットワークのＡＳＮにアタッチメントを請求し、ローミング端末のＡＩＤを該ローミング場所のネットワークのＡＳＮに送信するのは、前記ローミング端末がアタッチメント請求メッセージを送信することによってローミング場所のネットワークのＡＳＮにアタッチメントを請求し、前記アタッチメント請求メッセージにおいてローミング端末のＡＩＤを携帯するステップを含み、
前記ローミング場所のネットワークのＡＳＮがローミングゲートウェイにアクセスを請求するのは、ローミング場所のネットワークのＡＳＮがアクセス請求メッセージを送信することによって、ローミングゲートウェイにアクセスを請求するステップを含み、
前記ローミングゲートウェイがローミング端末のホームネットワークの認証センターに認証を請求するのは、ローミングゲートウェイが認証請求メッセージを送信することによって、ローミング端末のホームネットワークの認証センターに認証を請求するステップを含み、
前記認証センターが認証結果をローミングゲートウェイに知らせるのは、認証センターが認証結果メッセージを送信することによって、認証結果をローミングゲートウェイに知らせるステップを含み、
前記ローミングゲートウェイがアクセス結果をローミング場所のネットワークのＡＳＮに知らせるのは、ローミングゲートウェイがアクセス応答メッセージを送信することによって、アクセス結果をローミング場所のネットワークのＡＳＮに知らせるステップを含み、
前記ローミング場所のネットワークのＡＳＮがアタッチメント結果をローミング端末に知らせるのは、ローミング場所のネットワークのＡＳＮがアタッチメント応答メッセージを送信することによって、アタッチメント結果をローミング端末に知らせるステップを含む請求項３に記載の方法。
【請求項８】
ローミング場所のネットワークのＡＳＮには本ネットワークＡＩＤ範囲の配置情報が保存され、該ローミング場所のネットワークのＡＳＮが前記本ネットワークＡＩＤ範囲の配置情報によって本ネットワークの端末とローミング端末とを区別し、
ローミングゲートウェイには該ローミングゲートウェイと接続する各ネットワークＡＩＤ範囲の配置情報が保存され、前記ローミングゲートウェイが前記各ネットワークＡＩＤ範囲の配置情報によって、異なるネットワークの端末を区別する請求項３に記載の方法。
【請求項９】
ネットワーク間ローミングの実現システムであって、
身分標識と位置標識との分離するネットワークにアプリケーションされ、該ネットワークにおいて、アクセス標識（ＡＩＤ）を端末のユーザー身分標識とし、ルート標識（ＲＩＤ）を端末の位置標識とし、ローミング端末、目的設備、ローミング場所ネットワークのアクセスサービスノード（ＡＳＮ）及びローミングゲートウェイを含み、
前記ローミング端末は、ローミング場所のネットワークのＡＳＮにアタッチメントされてから、目的設備に最初のデータパケットを送信し、該最初のデータパケットの目的アドレスが目的設備のＡＩＤであるように設置され、
前記ローミング場所のネットワークのＡＳＮは、最初のデータパケットを受信してから、ローカルでＡＩＤ−ＲＩＤのマッピング情報を問合せ、目的設備のＲＩＤを探し出さなく、且つ目的設備がローミング場所ネットワークに属しないと、ローミングゲートウェイに目的設備のＲＩＤへの問合せを請求し、且つローミングゲートウェイのフィードバックした目的設備のＲＩＤを受信してから、該ＲＩＤによって、目的設備にローミング端末の後続のデータパケットを送信するように設置され、
前記ローミングゲートウェイは、目的設備のホームネットワークから目的設備のＲＩＤを問合せ、且つローミング場所のネットワークのＡＳＮにフィードバックするように設置され、
ここで、前記ローミング場所のネットワークのＡＳＮは、ローミングゲートウェイに目的設備のＲＩＤへの問合せを請求する時、前記最初のデータパケットをローミングゲートウェイに送信するようにさらに設置され、
前記ローミングゲートウェイは、目的設備のホームネットワークから目的設備のＲＩＤを問合せる時、前記最初のデータパケットを目的設備のホームネットワークに送信するようにさらに設置され、
目的設備のホームネットワークは、目的設備のＲＩＤを問合せた後、該問い合わせられたＲＩＤによって前記最初のデータパケットを目的ＡＳＮに送信するようにさらに設置されることを特徴とするネットワーク間ローミングの実現システム。
【請求項１０】
前記ローミング場所のネットワークのＡＳＮは、目的設備のＡＩＤをローミングゲートウェイに送信し、目的設備のＲＩＤへの問合せを請求するように、ローミングゲートウェイに目的設備のＲＩＤへの問合せを請求するように設置され、
前記ローミングゲートウェイは、
目的設備のＡＩＤを受信してから、該ＡＩＤを解析して目的設備のホームネットワークを取得し、目的設備のＡＩＤを該目的設備のホームネットワークのマッピング転送平面に送信し、目的設備のＲＩＤへの問合せを請求し、
目的設備のホームネットワークのマッピング転送平面が目的設備のＡＩＤによって問合せた目的設備のＡＩＤ−ＲＩＤのマッピング情報を受信、保存し、且つローミング場所のネットワークのＡＳＮに転送するように設置される請求項９に記載のシステム。
【請求項１１】
前記ローミング端末は、ローミング場所のネットワークのＡＳＮにアタッチメントを請求し、ローミング端末のＡＩＤを該ローミング場所のネットワークのＡＳＮに送信するようにさらに設置され、
前記ローミング場所のネットワークのＡＳＮは、ローミング端末のＡＩＤによってローミング端末がローカルネットワークに属しないことを識別し、ローミングゲートウェイにアクセスを請求し、及びローミングゲートウェイの送信したアクセス結果を受信し、且つアタッチメント結果を前記ローミング端末に知らせるようにさらに設置され、
前記ローミングゲートウェイは、ローミング端末のＡＩＤによってローミング端末のホームネットワークを探し、ローミング端末のホームネットワークの認証センターに認証を請求し、及び前記認証センターの送信した認証結果を受信し、且つアクセス結果をローミング場所のネットワークのＡＳＮに知らせるようにさらに設置される請求項９に記載のシステム。
【請求項１２】
前記ローミング場所のネットワークのＡＳＮは、
ローミング端末のデータパケットを再カプセル化し、目的設備のＲＩＤとローミング端末のＲＩＤとをそれぞれ再カプセル化されたデータパケットの目的アドレスとソースアドレスとして用い、目的ＡＳＮとの間の媒体面チャンネルによって該再カプセル化されたデータパケットを目的ＡＳＮに送信し、
目的ＡＳＮが、受信したローミングネットワークにおけるＡＳＮによって再カプセル化されたデータパケットを逆カプセル化して、ローミング端末のデータパケットに回復し、目的設備に送信するように、目的設備のＲＩＤによって、目的設備にローミング端末の後続のデータパケットを送信するように設置される請求項９に記載のシステム。
【請求項１３】
前記ローミング場所のネットワークのＡＳＮは、
ローミング端末のデータパケットを再カプセル化し、目的設備のＲＩＤとローミング端末のＲＩＤとをそれぞれ再カプセル化されたデータパケットの目的アドレスとソースアドレスとして用い、該再カプセル化されたデータパケットをローミングゲートウェイに送信し、
ローミングゲートウェイが目的設備のＲＩＤによって、該再カプセル化されたデータパケットを目的ＡＳＮに送信し、
目的ＡＳＮが、受信したローミングネットワークにおけるＡＳＮによって再カプセル化されたデータパケットを逆カプセル化して、ローミング端末のデータパケットに回復し、目的設備に送信するように、目的設備のＲＩＤによって、目的設備にローミング端末の後続のデータパケットを送信するように設置される請求項９に記載のシステム。
【請求項１４】
前記ローミング場所のネットワークのＡＳＮは、ローミングゲートウェイにＡＩＤ−ＲＩＤ問合せメッセージを送信することによって、該ＡＩＤ−ＲＩＤ問合せメッセージにおいて目的設備のＡＩＤを携帯し、目的設備のＲＩＤへの問合せを請求するように設置され、
前記ローミングゲートウェイは、
目的設備のホームネットワークのマッピング転送平面にＡＩＤ−ＲＩＤ請求メッセージを送信することによって、該ＡＩＤ−ＲＩＤ請求メッセージにおいて目的設備のＡＩＤを携帯し、目的設備のＲＩＤへの問合せを請求し、
目的設備のホームネットワークのマッピング転送平面のフィードバックしたＡＩＤ−ＲＩＤ請求結果メッセージを受信し、目的設備のＡＩＤとＲＩＤとのマッピング情報を得て、及び
ローミング場所のネットワークのＡＳＮにＡＩＤ−ＲＩＤ問合せ結果メッセージを送信することによって、目的設備のＡＩＤとＲＩＤとのマッピング情報をローミング場所のネットワークのＡＳＮに送信するように設置される請求項１０に記載のシステム。
【請求項１５】
前記ローミング端末は、アタッチメント請求メッセージを送信することによって、ローミング場所のネットワークのＡＳＮにアタッチメントを請求し、前記アタッチメント請求メッセージにおいてローミング端末のＡＩＤを携帯するように、ローミング場所のネットワークのＡＳＮにアタッチメントを請求し、ローミング端末のＡＩＤを該ローミング場所のネットワークのＡＳＮに送信するように設置され、
前記ローミング場所のネットワークのＡＳＮは、アクセス請求メッセージを送信することによって、ローミングゲートウェイにアクセスを請求し、及びアタッチメント応答メッセージを送信することによって、アタッチメント結果をローミング端末に知らせるように設置され、
前記ローミングゲートウェイは、認証請求メッセージを送信することによって、ローミング端末のホームネットワークの認証センターに認証を請求し、認証センターの送信した認証結果メッセージを受信し、及びアクセス応答メッセージを送信することによって、アクセス結果をローミング場所のネットワークのＡＳＮに知らせるように設置される請求項１１に記載のシステム。
【請求項１６】
ローミング場所のネットワークのＡＳＮには本ネットワークＡＩＤ範囲の配置情報が保存され、該ローミング場所のネットワークのＡＳＮは、前記本ネットワークＡＩＤ範囲の配置情報によって本ネットワークの端末とローミング端末とを区別するようにさらに設置され、
ローミングゲートウェイには該ローミングゲートウェイと接続する各ネットワークＡＩＤ範囲の配置情報が保存され、前記ローミングゲートウェイは、前記各ネットワークＡＩＤ範囲の配置情報によって、異なるネットワークの端末を区別するようにさらに設置される請求項１１に記載のシステム。
【請求項１７】
ネットワーク間ローミングの実現方法であって、
身分標識と位置標識との分離するネットワークにアプリケーションされ、該ネットワークにおいて、アクセス標識（ＡＩＤ）を端末のユーザー身分標識とし、ルート標識（ＲＩＤ）を端末の位置標識とし、
ローミング端末がローミング場所のネットワークのＡＳＮにアタッチメントされてから、目的設備に最初のデータパケットを送信し、該最初のデータパケットの目的アドレスが目的設備のＡＩＤであることと、
前記ローミング場所のネットワークのＡＳＮが最初のデータパケットを受信してから、ローミング場所のネットワークのＡＳＮローカルでＡＩＤ−ＲＩＤのマッピング情報を問合せ、目的設備のＲＩＤを探し出さなく、且つ目的設備がローミング場所ネットワークに属すると、ローカルのマッピング転送平面に目的設備のＲＩＤへの問合せを請求することと、
ローカルのマッピング転送平面が目的設備のＲＩＤを問合せ、且つローミング場所のネットワークのＡＳＮにフィードバックすることと、
ローミング場所のネットワークのＡＳＮが目的設備のＲＩＤによって、目的設備にローミング端末の後続のデータパケットを送信することとを含み、
ここで、前記ローミング場所のネットワークのＡＳＮがローカルのマッピング転送平面に目的設備のＲＩＤへの問合せを請求する時、さらに前記最初のデータパケットを該マッピング転送平面に送信し、
ローカルのマッピング転送平面が目的設備のＲＩＤを問合せた後、該問い合わせられたＲＩＤによって前記最初のデータパケットを目的ＡＳＮに送信することを特徴とするネットワーク間ローミングの実現方法。
【請求項１８】
ネットワーク間ローミングの実現システムであって、
身分標識と位置標識との分離するネットワークにアプリケーションされ、該ネットワークにおいて、アクセス標識（ＡＩＤ）を端末のユーザー身分標識とし、ルート標識（ＲＩＤ）を端末の位置標識とし、ローミング端末、目的設備、ローミング場所ネットワークのアクセスサービスノード（ＡＳＮ）及びローカルのマッピング転送平面を含み、
前記ローミング端末は、ローミング場所のネットワークのＡＳＮにアタッチメントされてから、目的設備に最初のデータパケットを送信し、該最初のデータパケットの目的アドレスが目的設備のＡＩＤであるように設置され、
前記ローミング場所のネットワークのＡＳＮは、最初のデータパケットを受信してから、ローミング場所のネットワークのＡＳＮローカルでＡＩＤ−ＲＩＤのマッピング情報を問合せ、目的設備のＲＩＤを探し出さなく、且つ目的設備がローミング場所ネットワークに属すると、ローカルのマッピング転送平面に目的設備のＲＩＤへの問合せを請求し、且つローカルのマッピング転送平面のフィードバックした目的設備のＲＩＤを受信してから、該ＲＩＤによって、目的設備にローミング端末の後続のデータパケットを送信するように設置され、
ローカルのマッピング転送平面は、目的設備のＲＩＤを問合せ、且つローミング場所のネットワークのＡＳＮにフィードバックするように設置され、
ここで、前記ローミング場所のネットワークのＡＳＮは、ローカルのマッピング転送平面に目的設備のＲＩＤへの問合せを請求する時、前記最初のデータパケットを該マッピング転送平面に送信するようにさらに設置され、
ローカルのマッピング転送平面は、目的設備のＲＩＤを問合せた後、該問い合わせられたＲＩＤによって前記最初のデータパケットを目的ＡＳＮに送信するようにさらに設置されることを特徴とするネットワーク間ローミングの実現システム。
【発明の詳細な説明】
【技術分野】
【０００１】
本発明は身分標識と位置標識とが分離するネットワークに関し、特にネットワーク間ローミングの実現方法、システム並びに問合せ及びネットワークアタッチメント方法及びシステムに関する。
【背景技術】
【０００２】
従来、インターネットにおいて汎用されるＴＣＰ／ＩＰ（伝送制御プロトコル／インターネットプロトコル）プロトコルにおいて、ＩＰアドレスは二重機能を備え、ネットワーク層の通信端末ホストコンピューターのネットワークインターフェースの、ネットワークポロジーにおける位置標識とするだけでなく、伝送層ホストコンピューターのネットワークインターフェースの身分標識ともする。ＴＣＰ／ＩＰプロトコルの設計の初め、ホストコンピューターが移動する情況を考えてなかった。しかしながら、ホストコンピューターの移動がますます普遍になる時、このＩＰアドレスの多重定義の欠陥は日々目立つ。ホストコンピューターのＩＰアドレスが変更する場合、ルートが変更するだけでなく、通信端末ホストコンピューターの身分標識も変更し、このようにして、ルートの負荷がますます重くなることを引き起こし、且つホストコンピューター標識の変更がアプリケーションと接続との中断を引き起こす。
【０００３】
身分標識と位置標識との分離を提出する目的は、ＩＰアドレスの多重定義、ルート負荷深刻及び安全性等の問題を解決することにあり、ＩＰアドレスの二重機能を分離し、移動性、マルチホーム性、ＩＰアドレスの動的再配置、ルート負荷の低減及次世代インターネットにおける異なるネットワークエリアの間のインターアクセス等の問題に対するサポートを実現する。
【０００４】
ユーザーがネットワークＢにおいてサービス協議を締結した後、ユーザーがネットワークＢのサービスエリア外（ローミングエリア）までローミングすると、ネットワークＢのサービスを享受できなくなるが、ローミングエリアがネットワークＡのサービスエリアであり、且つネットワークＡとネットワークＢが既にローミング協議を締結し、且つユーザーがローミングを許されると、ネットワークＡのサービスエリアにおいて、ユーザーは同様なサービスを享受できるが、従来、身分標識と位置標識とが分離するネットワークにおいて、未だローミングユーザーにビジネスサービスを提供する方法がない。
【発明の概要】
【発明が解決しようとする課題】
【０００５】
本発明が解決しようとする技術問題は、ネットワーク間ローミングの実現方法、システム並びに問合せ及びネットワークアタッチメントの方法及びシステムを提供し、身分標識と位置標識との分離するネットワークにおいてローミングユーザーにサービスを提供できない問題を解決し、ユーザーが異なる身分標識と位置標識との分離するネットワークの間で移動する場合、同様なネットワークサービスを享受できることを実現することである。
【課題を解決するための手段】
【０００６】
上記技術問題を解決するために、本発明に係るネットワーク間ローミングの実現方法は、身分標識と位置標識との分離するネットワークにアプリケーションされ、該ネットワークにおいて、アクセス標識（ＡＩＤ）を端末のユーザー身分標識とし、ルート標識（ＲＩＤ）を端末の位置標識とし、該方法は、
ローミング端末がローミング場所ネットワークのアクセスサービスノード（ＡＳＮ）にアタッチメントされてから、目的設備に最初のデータパケットを送信し、該最初のデータパケットの目的アドレスが目的設備のＡＩＤであることと、
ローミング場所のネットワークのＡＳＮが最初のデータパケットを受信してから、ローミング場所のネットワークのＡＳＮローカルでＡＩＤ−ＲＩＤのマッピング情報を問合せ、目的設備のＲＩＤを探し出さなく、且つ目的設備がローミング場所ネットワークに属しないと、ローミングゲートウェイに目的設備のＲＩＤへの問合せを請求することと、
ローミングゲートウェイが目的設備のホームネットワークから目的設備のＲＩＤを問合せ、且つローミング場所のネットワークのＡＳＮにフィードバックすることと、
ローミング場所のネットワークのＡＳＮが目的設備のＲＩＤによって、目的設備にローミング端末の後続のデータパケットを送信することを含む。
【０００７】
前記ローミング場所のネットワークのＡＳＮがローミングゲートウェイに目的設備のＲＩＤへの問合せを請求するのは、前記ローミング場所のネットワークのＡＳＮが目的設備のＡＩＤをローミングゲートウェイに送信し、目的設備のＲＩＤへの問合せを請求するステップを含み、
前記ローミングゲートウェイが目的設備のホームネットワークから目的設備のＲＩＤを問合せ、且つローミング場所のネットワークのＡＳＮにフィードバックするのは、
ローミングゲートウェイが目的設備のＡＩＤを受信してから、該ＡＩＤを解析して目的設備のホームネットワークを取得し、目的設備のＡＩＤを該目的設備のホームネットワークのマッピング転送平面に送信し、目的設備のＲＩＤへの問合せを請求するステップと、
目的設備のホームネットワークのマッピング転送平面が目的設備のＡＩＤによって対応のＲＩＤを問合せた後、目的設備のＡＩＤ−ＲＩＤのマッピング情報をローミングゲートウェイに送信し、ローミングゲートウェイが保存してから、ローミング場所のネットワークのＡＳＮに転送するステップを含む。
【０００８】
前記ローミング端末がローミング場所のネットワークのＡＳＮにアタッチメントされるのは、
ローミング端末がローミング場所のネットワークのＡＳＮにアタッチメントを請求し、ローミング端末のＡＩＤを該ローミング場所のネットワークのＡＳＮに送信することと、
ローミング場所のネットワークのＡＳＮがローミング端末のＡＩＤによってローミング端末がローカルネットワークに属しないことを識別し、ローミングゲートウェイにアクセスを請求することと、
ローミングゲートウェイがローミング端末のＡＩＤによってローミング端末のホームネットワークを探し、ローミング端末のホームネットワークの認証センターに認証を請求することと、
認証センターがローミング端末を認証してから、認証結果をローミングゲートウェイに知らせることと、
ローミングゲートウェイがアクセス結果をローミング場所のネットワークのＡＳＮに知らせ、ローミング場所のネットワークのＡＳＮがアタッチメント結果をローミング端末に知らせることを含む。
【０００９】
前記ローミング場所のネットワークのＡＳＮが目的設備のＲＩＤによって、目的設備にローミング端末の後続のデータパケットを送信するのは、
ローミングネットワークにおけるＡＳＮがローミング端末のデータパケットを再カプセル化し、目的設備のＲＩＤとローミング端末のＲＩＤとをそれぞれ再カプセル化されたデータパケットの目的アドレスとソースアドレスとして用い、目的ＡＳＮとの間の媒体面チャンネルによって該再カプセル化されたデータパケットを目的ＡＳＮに送信するステップと、
目的ＡＳＮが、受信したローミングネットワークにおけるＡＳＮによって再カプセル化されたデータパケットを逆カプセル化して、ローミング端末のデータパケットに回復し、目的設備に送信するステップを含む。
【００１０】
その中、前記ローミング場所のネットワークのＡＳＮが目的設備のＲＩＤによって、目的設備にローミング端末の後続のデータパケットを送信するのは、
ローミングネットワークにおけるＡＳＮがローミング端末のデータパケットを再カプセル化し、目的設備のＲＩＤとローミング端末のＲＩＤとをそれぞれ再カプセル化されたデータパケットの目的アドレスとソースアドレスとして用い、該再カプセル化されたデータパケットをローミングゲートウェイに送信するステップと、
ローミングゲートウェイが目的設備のＲＩＤによって、該再カプセル化されたデータパケットを目的ＡＳＮに送信するステップと、
目的ＡＳＮが、受信したローミングネットワークにおけるＡＳＮによって再カプセル化されたデータパケットを逆カプセル化して、ローミング端末のデータパケットに回復し、目的設備に送信するステップを含む。
【００１１】
該方法は、
前記ローミング場所のネットワークのＡＳＮがローミングゲートウェイに目的設備のＲＩＤへの問合せを請求する時、さらに前記最初のデータパケットをローミングゲートウェイに送信することと、
ローミングゲートウェイが目的設備のホームネットワークから目的設備のＲＩＤを問合せる時、さらに前記最初のデータパケットを目的設備のホームネットワークに送信することと、
目的設備のホームネットワークが目的設備のＲＩＤを問合せた後、該問合せられたＲＩＤによって前記最初のデータパケットを目的ＡＳＮに送信することをさらに含む。
【００１２】
前記ローミング場所のネットワークのＡＳＮが目的設備のＡＩＤをローミングゲートウェイに送信し、目的設備のＲＩＤへの問合せを請求するのは、前記ローミング場所のネットワークのＡＳＮがローミングゲートウェイにＡＩＤ−ＲＩＤ問合せメッセージを送信することによって、該ＡＩＤ−ＲＩＤ問合せメッセージにおいて目的設備のＡＩＤを携帯し、目的設備のＲＩＤへの問合せを請求するステップを含み、
前記ローミングゲートウェイが目的設備のＡＩＤを該目的設備のホームネットワークのマッピング転送平面に送信し、目的設備のＲＩＤへの問合せを請求するのは、前記ローミングゲートウェイが目的設備のホームネットワークのマッピング転送平面にＡＩＤ−ＲＩＤ請求メッセージを送信することによって、該ＡＩＤ−ＲＩＤ請求メッセージにおいて目的設備のＡＩＤを携帯し、目的設備のＲＩＤへの問合せを請求するステップを含み、
前記目的設備のホームネットワークのマッピング転送平面が目的設備のＡＩＤ−ＲＩＤのマッピング情報をローミングゲートウェイに送信するのは、目的設備のホームネットワークのマッピング転送平面がローミングゲートウェイにＡＩＤ−ＲＩＤ請求結果メッセージをフィードバックすることによって、目的設備のＡＩＤとＲＩＤとのマッピング情報をローミングゲートウェイに送信するステップを含み、
前記ローミングゲートウェイが目的設備のＡＩＤ−ＲＩＤのマッピング情報にローミング場所のネットワークのＡＳＮに転送するのは、ローミングゲートウェイがローミング場所のネットワークのＡＳＮにＡＩＤ−ＲＩＤ問合せ結果メッセージを送信することによって、目的設備のＡＩＤとＲＩＤとのマッピング情報をローミング場所のネットワークのＡＳＮに送信するステップを含む。
【００１３】
前記ローミング端末がローミング場所のネットワークのＡＳＮにアタッチメントを請求し、ローミング端末のＡＩＤを該ローミング場所のネットワークのＡＳＮに送信するのは、前記ローミング端末がアタッチメント請求メッセージを送信することによってローミング場所のネットワークのＡＳＮにアタッチメントを請求し、前記アタッチメント請求メッセージにおいてローミング端末のＡＩＤを携帯するステップを含み、
前記ローミング場所のネットワークのＡＳＮがローミングゲートウェイにアクセスを請求するのは、ローミング場所のネットワークのＡＳＮがアクセス請求メッセージを送信することによって、ローミングゲートウェイにアクセスを請求するステップを含み、
前記ローミングゲートウェイがローミング端末のホームネットワークの認証センターに認証を請求するのは、ローミングゲートウェイが認証請求メッセージを送信することによって、ローミング端末のホームネットワークの認証センターに認証を請求するステップを含み、
前記認証センターが認証結果をローミングゲートウェイに知らせるのは、認証センターが認証結果メッセージを送信することによって、認証結果をローミングゲートウェイに知らせるステップを含み、
前記ローミングゲートウェイがアクセス結果をローミング場所のネットワークのＡＳＮに知らせるのは、ローミングゲートウェイがアクセス応答メッセージを送信することによって、アクセス結果をローミング場所のネットワークのＡＳＮに知らせるステップを含み、
前記ローミング場所のネットワークのＡＳＮがアタッチメント結果をローミング端末に知らせるのは、ローミング場所のネットワークのＡＳＮがアタッチメント応答メッセージを送信することによって、アタッチメント結果をローミング端末に知らせるステップを含む。
【００１４】
ローミング場所のネットワークのＡＳＮには本ネットワークＡＩＤ範囲の配置情報が保存され、該ローミング場所のネットワークのＡＳＮが前記本ネットワークＡＩＤ範囲の配置情報によって本ネットワークの端末とローミング端末とを区別し、
ローミングゲートウェイには該ローミングゲートウェイと接続する各ネットワークＡＩＤ範囲の配置情報が保存され、前記ローミングゲートウェイが前記各ネットワークＡＩＤ範囲の配置情報によって、異なるネットワークの端末を区別する。
【００１５】
本発明はネットワーク間ローミングの実現システムをさらに提供し、身分標識と位置標識との分離するネットワークにアプリケーションされ、該ネットワークにおいてＡＩＤを端末のユーザー身分標識とし、ＲＩＤを端末の位置標識とし、該システムは、ローミング端末、目的設備、ローミング場所のネットワークのＡＳＮ及びローミングゲートウェイを含み、
前記ローミング端末は、ローミング場所のネットワークのＡＳＮにアタッチメントされてから、目的設備に最初のデータパケットを送信し、該最初のデータパケットの目的アドレスが目的設備のＡＩＤであるように設置され、
前記ローミング場所のネットワークのＡＳＮは、最初のデータパケットを受信してから、ローカルでＡＩＤ−ＲＩＤのマッピング情報を問合せ、目的設備のＲＩＤを探し出さなく、且つ目的設備がローミング場所ネットワークに属しないと、ローミングゲートウェイに目的設備のＲＩＤへの問合せを請求し、且つローミングゲートウェイのフィードバックした目的設備のＲＩＤを受信してから、該ＲＩＤによって、目的設備にローミング端末の後続のデータパケットを送信するように設置され、
前記ローミングゲートウェイは、目的設備のホームネットワークから目的設備のＲＩＤを問合せ、且つローミング場所のネットワークのＡＳＮにフィードバックするように設置される。
【００１６】
前記ローミング場所のネットワークのＡＳＮは、目的設備のＡＩＤをローミングゲートウェイに送信し、目的設備のＲＩＤへの問合せを請求するように、ローミングゲートウェイに目的設備のＲＩＤへの問合せを請求するように設置され、
前記ローミングゲートウェイは、
目的設備のＡＩＤを受信してから、該ＡＩＤを解析して目的設備のホームネットワークを取得し、目的設備のＡＩＤを該目的設備のホームネットワークのマッピング転送平面に送信し、目的設備のＲＩＤへの問合せを請求し、
目的設備のホームネットワークのマッピング転送平面が目的設備のＡＩＤによって問合せた目的設備のＡＩＤ−ＲＩＤのマッピング情報を受信、保存し、且つローミング場所のネットワークのＡＳＮに転送するように設置される。
【００１７】
前記ローミング端末は、ローミング場所のネットワークのＡＳＮにアタッチメントを請求し、ローミング端末のＡＩＤを該ローミング場所のネットワークのＡＳＮに送信するようにさらに設置され、
前記ローミング場所のネットワークのＡＳＮは、ローミング端末のＡＩＤによってローミング端末がローカルネットワークに属しないことを識別し、ローミングゲートウェイにアクセスを請求し、及びローミングゲートウェイの送信したアクセス結果を受信し、且つアタッチメント結果を前記ローミング端末に知らせるようにさらに設置され、
前記ローミングゲートウェイは、ローミング端末のＡＩＤによってローミング端末のホームネットワークを探し、ローミング端末のホームネットワークの認証センターに認証を請求し、及び前記認証センターの送信した認証結果を受信し、且つアクセス結果をローミング場所のネットワークのＡＳＮに知らせるようにさらに設置される。
【００１８】
前記ローミング場所のネットワークのＡＳＮは、
ローミング端末のデータパケットを再カプセル化し、目的設備のＲＩＤとローミング端末のＲＩＤとをそれぞれ再カプセル化されたデータパケットの目的アドレスとソースアドレスとして用い、目的ＡＳＮとの間の媒体面チャンネルによって該再カプセル化されたデータパケットを目的ＡＳＮに送信し、
目的ＡＳＮが、受信したローミングネットワークにおけるＡＳＮによって再カプセル化されたデータパケットを逆カプセル化して、ローミング端末のデータパケットに回復し、目的設備に送信するように、目的設備のＲＩＤによって、目的設備にローミング端末の後続のデータパケットを送信するように設置される。
【００１９】
前記ローミング場所のネットワークのＡＳＮは、
ローミング端末のデータパケットを再カプセル化し、目的設備のＲＩＤとローミング端末のＲＩＤとをそれぞれ再カプセル化されたデータパケットの目的アドレスとソースアドレスとして用い、該再カプセル化されたデータパケットをローミングゲートウェイに送信し、
ローミングゲートウェイが目的設備のＲＩＤによって、該再カプセル化されたデータパケットを目的ＡＳＮに送信し、
目的ＡＳＮが、受信したローミングネットワークにおけるＡＳＮによって再カプセル化されたデータパケットを逆カプセル化して、ローミング端末のデータパケットに回復し、目的設備に送信するように、目的設備のＲＩＤによって、目的設備にローミング端末の後続のデータパケットを送信するように設置される。
【００２０】
前記ローミング場所のネットワークのＡＳＮは、ローミングゲートウェイに目的設備のＲＩＤへの問合せを請求する時、前記最初のデータパケットをローミングゲートウェイに送信するようにさらに設置され、
前記ローミングゲートウェイは、目的設備のホームネットワークから目的設備のＲＩＤを問合せる時、前記最初のデータパケットを目的設備のホームネットワークに送信するようにさらに設置され、
目的設備のホームネットワークは、目的設備のＲＩＤを問合せた後、該問合せられたＲＩＤによって前記最初のデータパケットを目的ＡＳＮに送信するようにさらに設置される。
【００２１】
前記ローミング場所のネットワークのＡＳＮは、ローミングゲートウェイにＡＩＤ−ＲＩＤ問合せメッセージを送信することによって、該ＡＩＤ−ＲＩＤ問合せメッセージにおいて目的設備のＡＩＤを携帯し、目的設備のＲＩＤへの問合せを請求するように設置され、
前記ローミングゲートウェイは、
目的設備のホームネットワークのマッピング転送平面にＡＩＤ−ＲＩＤ請求メッセージを送信することによって、該ＡＩＤ−ＲＩＤ請求メッセージにおいて目的設備のＡＩＤを携帯し、目的設備のＲＩＤへの問合せを請求し、
目的設備のホームネットワークのマッピング転送平面のフィードバックしたＡＩＤ−ＲＩＤ請求結果メッセージを受信し、目的設備のＡＩＤとＲＩＤとのマッピング情報を得て、及び、
ローミング場所のネットワークのＡＳＮにＡＩＤ−ＲＩＤ問合せ結果メッセージを送信することによって、目的設備のＡＩＤとＲＩＤとのマッピング情報をローミング場所のネットワークのＡＳＮに送信するように設置される。
【００２２】
前記ローミング端末は、アタッチメント請求メッセージを送信することによって、ローミング場所のネットワークのＡＳＮにアタッチメントを請求し、前記アタッチメント請求メッセージにおいてローミング端末のＡＩＤを携帯するように、ローミング場所のネットワークのＡＳＮにアタッチメントを請求し、ローミング端末のＡＩＤを該ローミング場所のネットワークのＡＳＮに送信するように設置され、
前記ローミング場所のネットワークのＡＳＮは、アクセス請求メッセージを送信することによって、ローミングゲートウェイにアクセスを請求し、及びアタッチメント応答メッセージを送信することによって、アタッチメント結果をローミング端末に知らせるように設置され、
前記ローミングゲートウェイは、認証請求メッセージを送信することによって、ローミング端末のホームネットワークの認証センターに認証を請求し、認証センターの送信した認証結果メッセージを受信し、及びアクセス応答メッセージを送信することによって、アクセス結果をローミング場所のネットワークのＡＳＮに知らせるように設置される。
【００２３】
ローミング場所のネットワークのＡＳＮには本ネットワークＡＩＤ範囲の配置情報が保存され、該ローミング場所のネットワークのＡＳＮは、前記本ネットワークＡＩＤ範囲の配置情報によって本ネットワークの端末とローミング端末とを区別するようにさらに設置され、
ローミングゲートウェイには該ローミングゲートウェイと接続する各ネットワークＡＩＤ範囲の配置情報が保存され、前記ローミングゲートウェイは、前記各ネットワークＡＩＤ範囲の配置情報によって、異なるネットワークの端末を区別するようにさらに設置される。
【００２４】
本発明はネットワーク間ローミングの実現方法をさらに提供し、身分標識と位置標識との分離するネットワークにアプリケーションされ、該ネットワークにおいて、ＡＩＤを端末のユーザー身分標識とし、ＲＩＤを端末の位置標識とし、該方法は、
ローミング端末がローミング場所のネットワークのＡＳＮにアタッチメントされてから、目的設備に最初のデータパケットを送信し、該最初のデータパケットの目的アドレスが目的設備のＡＩＤであることと、
前記ローミング場所のネットワークのＡＳＮが最初のデータパケットを受信してから、ローミング場所のネットワークのＡＳＮローカルでＡＩＤ−ＲＩＤのマッピング情報を問合せ、目的設備のＲＩＤを探し出さなく、且つ目的設備がローミング場所ネットワークに属すると、ローカルのマッピング転送平面に目的設備のＲＩＤへの問合せを請求することと、
ローカルのマッピング転送平面が目的設備のＲＩＤを問合せ、且つローミング場所のネットワークのＡＳＮにフィードバックすることと、
ローミング場所のネットワークのＡＳＮが目的設備のＲＩＤによって、目的設備にローミング端末の後続のデータパケットを送信することを含む。
【００２５】
該方法は、
前記ローミング場所のネットワークのＡＳＮがローカルのマッピング転送平面に目的設備のＲＩＤへの問合せを請求する時、さらに前記最初のデータパケットを該マッピング転送平面に送信することと、
ローカルのマッピング転送平面が目的設備のＲＩＤを問合せた後、該問い合わせられたＲＩＤによって前記最初のデータパケットを目的ＡＳＮに送信することをさらに含む。
【００２６】
本発明はネットワーク間ローミングの実現システムをさらに提供し、身分標識と位置標識との分離するネットワークにアプリケーションされ、該ネットワークにおいてＡＩＤを端末のユーザー身分標識とし、ＲＩＤを端末の位置標識とし、該システムは、ローミング端末、目的設備、ローミング場所のネットワークのＡＳＮ及びローカルのマッピング転送平面を含み、
前記ローミング端末は、ローミング場所のネットワークのＡＳＮにアタッチメントされてから、目的設備に最初のデータパケットを送信し、該最初のデータパケットの目的アドレスが目的設備のＡＩＤであるように設置され、
前記ローミング場所のネットワークのＡＳＮは、最初のデータパケットを受信してから、ローミング場所のネットワークのＡＳＮローカルでＡＩＤ−ＲＩＤのマッピング情報を問合せ、目的設備のＲＩＤを探し出さなく、且つ目的設備がローミング場所ネットワークに属すると、ローカルのマッピング転送平面に目的設備のＲＩＤへの問合せを請求し、且つローカルのマッピング転送平面のフィードバックした目的設備のＲＩＤを受信してから、該ＲＩＤによって、目的設備にローミング端末の後続のデータパケットを送信するように設置され、
ローカルのマッピング転送平面は、目的設備のＲＩＤを問合せ、且つローミング場所のネットワークのＡＳＮにフィードバックするように設置される。
【００２７】
前記ローミング場所のネットワークのＡＳＮは、ローカルのマッピング転送平面に目的設備のＲＩＤへの問合せを請求する時、前記最初のデータパケットを該マッピング転送平面に送信するようにさらに設置され、
ローカルのマッピング転送平面は、目的設備のＲＩＤを問合せた後、該問合せられたＲＩＤによって前記最初のデータパケットを目的ＡＳＮに送信するようにさらに設置される。
【００２８】
本発明は問合せ方法をさらに提供し、身分標識と位置標識との分離するネットワークにアプリケーションされ、該ネットワークにおいてＡＩＤを端末のユーザー身分標識とし、ＲＩＤを端末の位置標識とし、
ＡＳＮが設備のＡＩＤにローミングゲートウェイを送信し、設備のＲＩＤへの問合せを請求することと、
ローミングゲートウェイが設備のＡＩＤを受信してから、該ＡＩＤを解析して該設備のホームネットワークを取得し、該設備のＡＩＤを設備ホームネットワークのマッピング転送平面に送信し、設備のＲＩＤへの問合せを請求することと、
設備ホームネットワークのマッピング転送平面が設備のＡＩＤによって対応のＲＩＤを問合せた後、設備のＡＩＤ−ＲＩＤのマッピング情報をローミングゲートウェイに送信し、ローミングゲートウェイが保存してから、ＡＳＮに転送することを含むことを特徴とする。
【００２９】
前記ＡＳＮが設備のＡＩＤをローミングゲートウェイに送信し、設備のＲＩＤへの問合せを請求するのは、前記ＡＳＮがローミングゲートウェイにＡＩＤ−ＲＩＤ問合せメッセージを送信することによって、該ＡＩＤ−ＲＩＤ問合せメッセージにおいて設備のＡＩＤを携帯し、設備のＲＩＤへの問合せを請求するステップを含み、
前記ローミングゲートウェイが該設備のＡＩＤを設備ホームネットワークのマッピング転送平面に送信し、設備のＲＩＤへの問合せを請求するのは、前記ローミングゲートウェイが設備ホームネットワークのマッピング転送平面にＡＩＤ−ＲＩＤ請求メッセージを送信することによって、該ＡＩＤ−ＲＩＤ請求メッセージにおいて設備のＡＩＤを携帯し、設備のＲＩＤへの問合せを請求するステップを含み、
前記設備ホームネットワークのマッピング転送平面が設備のＡＩＤ−ＲＩＤのマッピング情報をローミングゲートウェイに送信するのは、設備ホームネットワークのマッピング転送平面がローミングゲートウェイにＡＩＤ−ＲＩＤ請求結果メッセージをフィードバックすることによって、設備のＡＩＤとＲＩＤとのマッピング情報をローミングゲートウェイに送信するステップを含み、
前記ローミングゲートウェイが設備のＡＩＤ−ＲＩＤのマッピング情報をＡＳＮに転送するのは、ローミングゲートウェイがＡＳＮにＡＩＤ−ＲＩＤ問合せ結果メッセージを送信することによって、設備のＡＩＤとＲＩＤとのマッピング情報ＡＳＮに送信するステップを含む。
【００３０】
本発明は問合せシステムをさらに提供し、身分標識と位置標識との分離するネットワークにアプリケーションされ、該ネットワークにおいて、ＡＩＤを端末のユーザー身分標識とし、ＲＩＤを端末の位置標識とし、ＡＳＮ、ローミングゲートウェイ及び設備ホームネットワークのマッピング転送平面を含み、
前記ＡＳＮは、設備のＡＩＤをローミングゲートウェイに送信し、設備のＲＩＤへの問合せを請求するように設置され、
前記ローミングゲートウェイは、設備のＡＩＤを受信してから、該ＡＩＤを解析して該設備のホームネットワークを取得し、該設備のＡＩＤを設備ホームネットワークのマッピング転送平面に送信し、設備のＲＩＤへの問合せを請求し、且つ設備ホームネットワークのマッピング転送平面のフィードバックしたＡＩＤ−ＲＩＤのマッピング情報を受信してから、保存し、且つＡＳＮに転送するように設置され、
前記設備ホームネットワークのマッピング転送平面は、設備のＡＩＤによって対応のＲＩＤを問合せた後、設備のＡＩＤ−ＲＩＤのマッピング情報をローミングゲートウェイに送信するように設置される。
【００３１】
前記ＡＳＮは、ローミングゲートウェイにＡＩＤ−ＲＩＤ問合せメッセージを送信することによって、該ＡＩＤ−ＲＩＤ問合せメッセージにおいて設備のＡＩＤを携帯し、設備のＲＩＤへの問合せを請求するように設置され、
前記ローミングゲートウェイは、設備ホームネットワークのマッピング転送平面にＡＩＤ−ＲＩＤ請求メッセージを送信することによって、該ＡＩＤ−ＲＩＤ請求メッセージにおいて設備のＡＩＤを携帯し、設備のＲＩＤへの問合せを請求し、及びＡＳＮにＡＩＤ−ＲＩＤ問合せ結果メッセージを送信することによって設備のＡＩＤとＲＩＤとのマッピング情報をＡＳＮに送信するように設置され、
設備ホームネットワークのマッピング転送平面は、ローミングゲートウェイにＡＩＤ−ＲＩＤ請求結果メッセージをフィードバックすることによって、設備のＡＩＤとＲＩＤとのマッピング情報をローミングゲートウェイに送信するように設置される。
【００３２】
本発明はネットワークアタッチメントの方法をさらに提供し、身分標識と位置標識との分離するネットワークにアプリケーションされ、該ネットワークにおいて、ＡＩＤを端末のユーザー身分標識とし、ＲＩＤを端末の位置標識とし、該方法は、
ローミング端末がローミング場所のネットワークのＡＳＮにアタッチメントを請求し、ローミング端末のＡＩＤ送信を該ローミング場所のネットワークのＡＳＮに送信することと、
ローミング場所のネットワークのＡＳＮがローミング端末のＡＩＤによってローミング端末がローカルネットワークに属しないことを識別し、ローミングゲートウェイにアクセスを請求することと、
ローミングゲートウェイがローミング端末のＡＩＤによってローミング端末のホームネットワークを探し、ローミング端末のホームネットワークの認証センターに認証を請求することと、
認証センターがローミング端末を認証してから、認証結果をローミングゲートウェイに知らせることと、
ローミングゲートウェイがアクセス結果をローミング場所のネットワークのＡＳＮに知らせ、ローミング場所のネットワークのＡＳＮがアタッチメント結果をローミング端末に知らせることを含む。
【００３３】
前記ローミング端末がローミング場所のネットワークのＡＳＮにアタッチメントを請求し、ローミング端末のＡＩＤを該ローミング場所のネットワークのＡＳＮに送信するのは、前記ローミング端末がアタッチメント請求メッセージを送信することによって、ローミング場所のネットワークのＡＳＮにアタッチメントを請求し、前記アタッチメント請求メッセージにおいてローミング端末のＡＩＤを携帯するステップを含み、
前記ローミング場所のネットワークのＡＳＮがローミングゲートウェイにアクセスを請求するのは、前記ローミング場所のネットワークのＡＳＮがアクセス請求メッセージを送信することによって、ローミングゲートウェイにアクセスを請求するステップを含み、
前記ローミングゲートウェイがローミング端末のホームネットワークの認証センターに認証を請求するのは、ローミングゲートウェイが認証請求メッセージを送信することによって、ローミング端末のホームネットワークの認証センターに認証を請求するステップを含み、
前記認証センターが認証結果をローミングゲートウェイに知らせるのは、認証センターが認証結果メッセージを送信することによって、認証結果をローミングゲートウェイに知らせるステップを含み、
前記ローミングゲートウェイがアクセス結果をローミング場所のネットワークのＡＳＮに知らせるのは、ローミングゲートウェイがアクセス応答メッセージを送信することによって、アクセス結果をローミング場所のネットワークのＡＳＮに知らせるステップを含み、
前記ローミング場所のネットワークのＡＳＮがアタッチメント結果をローミング端末に知らせるのは、ローミング場所のネットワークのＡＳＮがアタッチメント応答メッセージを送信することによって、アタッチメント結果をローミング端末に知らせるステップを含む。
【００３４】
本発明はネットワークアタッチメントのシステムをさらに提供し、身分標識と位置標識との分離するネットワークにアプリケーションされ、該ネットワークにおいて、ＡＩＤを端末のユーザー身分標識とし、ＲＩＤを端末の位置標識とし、該システムは、ローミング端末、ローミング場所のネットワークのＡＳＮ、ローミングゲートウェイ及びローミング端末のホームネットワークの認証センターを含み、
前記ローミング端末は、ローミング場所のネットワークのＡＳＮにアタッチメントを請求し、ローミング端末のＡＩＤを該ローミング場所のネットワークのＡＳＮに送信するように設置され、
前記ローミング場所のネットワークのＡＳＮは、ローミング端末のＡＩＤによってローミング端末がローカルネットワークに属しないことを識別し、ローミングゲートウェイにアクセスを請求し、且つローミングゲートウェイのフィードバックしたアクセス結果を受信してから、ローミング端末にアタッチメント結果を知らせるように設置され、
前記ローミングゲートウェイは、ローミング端末のＡＩＤによってローミング端末のホームネットワークを探し、ローミング端末のホームネットワークの認証センターに認証を請求し、且つローミング端末のホームネットワークの認証センターのフィードバックした認証結果を受信してから、ローミング場所のネットワークのＡＳＮにアクセス結果を知らせるように設置され、
前記ローミング端末のホームネットワークの認証センターは、ローミング端末を認証してから、認証結果をローミングゲートウェイに知らせるように設置される。
【００３５】
前記ローミング端末は、アタッチメント請求メッセージを送信することによって、ローミング場所のネットワークのＡＳＮにアタッチメントを請求し、前記アタッチメント請求メッセージにおいてローミング端末のＡＩＤを携帯するように設置され、
ローミング場所のネットワークのＡＳＮは、アクセス請求メッセージを送信することによって、ローミングゲートウェイにアクセスを請求し、及びアタッチメント応答メッセージを送信することによって、アタッチメント結果をローミング端末に知らせるように設置され、
ローミングゲートウェイは、認証請求メッセージを送信することによって、ローミング端末のホームネットワークの認証センターに認証を請求し、及びアクセス応答メッセージを送信することによって、アクセス結果をローミング場所のネットワークのＡＳＮに知らせるように設置され、
認証センターは、認証結果メッセージを送信することによって、認証結果をローミングゲートウェイに知らせるように設置される。
【発明の効果】
【００３６】
本発明は、下記の有益な効果を有する。
【００３７】
（１）ネットワークが簡単で、ローミングゲートウェイによって各ネットワークとの間で相互接続相互運用を行い、あるネットワークから見ると、ローミングゲートウェイがそのネットワークにおける一部であり、ローミングしていくサービスはローミングゲートウェイからホームネットワークにアクセスされるものであり、あるネットワークは他のローミングパートナーと複雑なネットワーク構造を構築する必要がなく、ネットワーク構造を簡素化する。
【００３８】
（２）ローミングゲートウェイがネットワーク分離機能と、ネットワークに対して他のローミングパートナーをシールドするネットワーク構造とを備え、ネットワークはローミングゲートウェイと通信の関連のデータ配置だけを行えばよく、ローミングパートナーのネットワーク構造を知る必要がない。
【００３９】
（３）ローミングゲートウェイがネットワーク間決済と統計との機能を備え、各ローミングパートナーの間のサービストラフィックを統計でき、チャージ決済、サービスの展開計画の作成、運営最適化等に便利である。
【００４０】
（４）ローミング関係の高速構築に便利で、ネットワークはローミングゲートウェイと相互接続相互運用を行うだけで技術上、複数のネットワークとのローミングサービスを同時に開通でき、建設時間を節約する。
【図面の簡単な説明】
【００４１】
【図１】身分標識と位置標識との分離するネットワークのアーキテクチャ図である。
【図２】またの１種の身分標識と位置標識との分離するネットワークのアーキテクチャ図である。
【図３】第３種の身分標識と位置標識との分離するネットワークのアーキテクチャ図である。
【図４】本発明が異なるネットワークと接続する構成図である。
【図５】本発明のネットワーク間ローミングの実現方法のフローチャートである。
【発明を実施するための形態】
【００４２】
図１が示すのはＩＰネットワークルーターに基づいて身分標識と位置標識との分離を実現するネットワークのアーキテクチャであり、各ネットワーク要素は論理機能が下記通りである。
【００４３】
アクセスサービスノード（ＡＳＮ）は、各種の移動端末にアクセスサービスを提供し、アクセスされた端末にルート標識（ＲＩＤ）を割り当て、且つ端末のデータメッセージをカプセル化してからコアネットワークに送信して伝送することを担当し、且つ通信相手の位置を問合せることを担当し、ＡＳＮローカルには通信相手のルート位置情報を保存しないと、マッピング転送平面によって探す。
【００４４】
マッピング転送平面は、複数の身分位置レジスタ／パケット転送機能（ＩＬＲ／ＰＴＦ）からなり、ネットワークにおける端末の身分標識とルート標識とのマッピング情報をメンテナンスし、且つＡＳＮと他のＩＬＲに問合せサービスを提供することを提供する。
【００４５】
認証センターは、端末類別とサービス等級等の情報を記録し、端末がアクセスする時、端末に対して合法性認証と許可を行うことを担当する。認証センターはネットワークと端末との間の相互認証をサポートする。
【００４６】
ＩＰ基幹ネットワークは、ＡＳＮの間の相互接続ネットワークであり、主な機能がデータメッセージにおけるルート標識によって経路決定し、及びデータメッセージを転送することであり、ＡＳＮの送信したデータを正確な目的地に転送し、ＩＰネットワークがコアスイッチルーター（ＣＳＲ）からなる。ＩＰ基幹ネットワークは従来のＩＰネットワークと同様で、いずれの修正が要らない。
【００４７】
相互運用ゲートウェイ（ＩＳＮ）は、身分標識と位置標識との分離するネットワークが他のネットワークと相互運用するノードであり、2種の異なるネットワークはＩＳＮによって通信しなければならない。
【００４８】
無線アクセスネットワークは、端末からＡＳＮまでの間の２層リンクを提供、メンテナンスすることを担当し、セルラ移動ネットワークにおいて、無線資源分配及び管理等を担当する。無線ネットワークはＷＣＤＭＡ（広帯域符号分割多元接続）、ＴＤ−ＳＣＤＭＡ（時分割−連動符号分割多元接続）、ＣＤＭＡ２０００（符号分割多元接続２０００）、ＬＴＥ（ロング・ターム・エボリューション）等の無線ネットワークでもよい。
【００４９】
図２が示すのはまたの１種の身分標識と位置標識との分離を実現するネットワークのアーキテクチャであり、本アーキテクチャはネットワークをアクセスネットワークと基幹ネットワークとに分ける。アクセスネットワークは基幹ネットワークのエッジに位置し、用すべての端末のアクセスを担当することに用いられる。基幹ネットワークはアクセスネットワークによってアクセスされた端末の間のデータメッセージのルートと転送を担当する。アクセスネットワークと基幹ネットワークはポロジー関係に、重なり合いがない。
【００５０】
本アーキテクチャのネットワークにアクセス標識（ＡＩＤ；Access Identifier）とルート標識（ＲＩＤ；Routing Identifier）との２種の標識タイプがある。ＡＩＤは端末のユーザー身分識別であり、端末ユーザー（ユーザーとも略称する）の身分を標識することに用いられ、ネットワークが各々の端末ユーザーに唯一的に１つのＡＩＤを割り当て、アクセスネットワークにおいて使用され、端末の移動過程中、始終に不変を保持し、ＲＩＤは端末に割り当てられる位置標識であり、基幹ネットワークにおいて使用される。
【００５１】
本アーキテクチャにおいて、アクセスネットワークの端末は移動端末、固定端末及びノーマディック端末のうちの１種又は複数種でもよく、例えば、携帯電話、固定電話、コンピュータ及びアプリケーションサーバー等。
【００５２】
本アーキテクチャにおいて、アクセスネットワークは端末に２層（物理層とリンク層）までのアクセス手段を提供し、端末とＡＳＮとの間の物理アクセスリンクをメンテナンスすることに用いられる。可能な２層アクセス手段はセルラ移動ネットワーク技術（ＧＳＭ(登録商標)／ＣＤＭＡ／ＴＤ−ＳＣＤＭＡ／ＷＣＤＭＡ／ＷｉＭＡＸ／ＬＴＥ）、ＤＳＬ、広帯域光ファイバーアクセス又はＷｉＦｉアクセス等を含む。
【００５３】
本アーキテクチャの基幹ネットワークはネットワーク作りする場合、広義転送平面とマッピング転送平面との２つの平面に分けられ、アクセスサービスノード(ＡＳＮ；Access Service Node)及び認証センターをさらに含む。
【００５４】
ＡＳＮは広義転送平面、マッピング転送平面とアクセスネットワークとの境界ノードであり、アクセスネットワーク、広義転送平面及びマッピング転送平面とのインターフェースを有する。端末にアクセスサービスを提供し、端末とネットワークとの接続をメンテナンスし、端末にＲＩＤを割り当て、マッピング転送平面へ登記登録し、及び端末のＲＩＤを問合せし、ＡＩＤ−ＲＩＤのマッピング情報をメンテナンスし、及びデータメッセージのルートと転送を実現することに用いられる。
【００５５】
広義転送平面は、データメッセージにおけるＲＩＤによって経路決定し、及びＲＩＤを目的アドレスとするデータメッセージを転送することに主に用いられ、広義転送平面におけるデータルート転送行為が従来のＩＰネットワークと一致する。図面の示すように、広義転送平面の主なネットワーク要素は汎用ルーター（ＣＲ；Common Router）及び相互接続サービスノード（ＩＳＮ；Interconnect Service Node）を含む。
【００５６】
マッピング転送平面は端末の身分位置マッピング情報（即ち、ＡＩＤ−ＲＩＤのマッピング情報）を保存し、端末位置に対する登記登録と問合せを処理し、ＡＩＤを目的アドレスとするデータメッセージをルートし、且つ転送することに主に用いられる。図面の示すように、マッピング転送平面の主なネットワーク要素は身分位置レジスタ／パケット転送機能（ＩＬＲ／ＰＴＦ；Identity Location Register/Packet Transfer Function）を含む。
【００５７】
認証センターは、本アーキテクチャネットワークの端末ユーザーの属性情報、例えばユーザー類別、認証情報及びユーザーサービス等級等を記録し、端末に対するアクセス認証と許可を完成することに用いられ、チャージ機能をさらに有してもよい。認証センターは端末とネットワークとの間の相互認証をサポートし、認証、完全性保護及び暗号化に用いられるユーザー安全情報を生成できる。
【００５８】
またの一実施例において、ＡＳＮはアーキテクチャの区分において、基幹ネットワークから独立し、基幹ネットワークとアクセスネットワークとの境界ノードに位置し、アクセスネットワーク及び基幹ネットワークとのインターフェースを有し、図３の示すように、その実際に果たした機能が図２と同様である。
【００５９】
図４の示すように、本発明はネットワークの間にローミングゲートウェイを設置することによって、各ネットワークがいずれもローミングゲートウェイとのネットワーク相互接続関係を構築し、制御面チャンネル（信号チャンネル）と媒体面チャンネルとの相互運用（媒体面チャンネルとは、ＡＳＮの間のデータチャンネルを指し、各ネットワークの間が直接に相互運用できると、媒体面チャンネルの相互運用が選択可能である。）を含み、ユーザーが各ネットワークの間でのローミングに対するサポートを実現し、図４において、３つのネットワークＡ、Ｂ及びＣの間がそれぞれローミングゲートウェイと相互接続相互運用を行うが、各々のネットワークの間でポイントツーポイントのローミング関係を構築する必要がない。
【００６０】
ローミングゲートウェイは各ネットワークから見ると、そのネットワークの１つの構成部分であり、認証センターと通信し、認証情報を伝え、データを転送する等ができる。
【００６１】
身分標識と位置標識との分離するネットワークにおいて、マッピング転送平面の存在のため、ローミングゲートウェイは各々のネットワークのマッピング転送平面と通信する必要があり、ローミングユーザーの訪問するネットワークのＡＳＮはローミングゲートウェイによってホームネットワークからローミングユーザーのＡＩＤ−ＲＩＤのマッピング情報を問合せることができる。
【００６２】
１つのネットワークは１つの又は複数のローミングゲートウェイと相互接続でき、つまり、１つのローミング能力を備えるネットワークは、ローミングゲートウェイと通信するＩＬＲ／ＰＴＦを少なくとも１つ有し、ローミングゲートウェイがそれと通信するＩＬＲ／ＰＴＦによって、ユーザーローミング場所のＡＳＮにＡＩＤ−ＲＩＤのマッピング情報の問合せ機能及び最初パケット転送機能を提供する。
【００６３】
ローミングゲートウェイとＡＳＮのネットワーク地位が同じで、ただし、機能にはある違いがある。
【００６４】
ネットワークのＡＳＮはＡＩＤの識別能力を備えなければならなく、ホームネットワークとローミングネットワークとの端末及びサーバーのＡＩＤを区別できる。
【００６５】
ローミングゲートウェイもＡＩＤの識別能力を備えなければならなく、異なるネットワークの端末及びサーバーのＡＩＤを区別して処理できる。
【００６６】
従来の基幹ネットワークを十分に利用するために、ＡＳＮの間のデータパケットが標準的なＩＰパケットであり、ＩＰ基幹ネットワークでルーティングできることを保証する。
【００６７】
図５の示すのは、本発明のネットワーク間ローミングの実現方法であり、仮にローミングユーザーがローミングネットワークＡにおけるＡＳＮ−Ａによってアクセスされ、ホーム場所のアプリケーションサーバー（ＡＰＰ  Ｓｅｒｖｅｒ）を訪問に行き、該アプリケーションサーバーがローミングユーザーのホームネットワークのＡＳＮ−Ｂの下に位置し、ホーム場所が認証センター及びＩＬＲ等の設備を手配すると、ホーム場所のアプリケーションサーバーを訪問する過程は、下記のステップを備える。
【００６８】
５０１：ユーザーの端末（ローミング端末）がアタッチメント請求を発起し、アタッチメント請求メッセージ（Ａｔｔａｃｈ  Ｒｅｑ）をローミング場所のＡＳＮ（ＡＳＮ−Ａ）に送信し、アタッチメント請求メッセージにおいてユーザーのＡＩＤを携帯する。
【００６９】
５０２：ＡＳＮ−ＡがユーザーのＡＩＤを解析し、ユーザーがローミングユーザーであることを発見すると、ローミングゲートウェイにアクセス請求（Ａｃｃｅｓｓ  Ｒｅｑ）メッセージを送信し、アクセスを請求し、
ＡＳＮに本ネットワークＡＩＤ範囲の配置情報を保存することによって、本ネットワークのユーザーとローミングユーザーとを区別する。
【００７０】
５０３：ローミングゲートウェイがユーザーのＡＩＤを解析して、ユーザーのホーム場所ネットワーク（ネットワークＢ）を取得し、且つ探し、ネットワークＢの認証センター（予め配置しておいた）に認証請求（Ａｕｔｈ  Ｒｅｑ）メッセージを送信し、
ローミングゲートウェイには各ネットワークＡＩＤ範囲の配置情報が保存され、ローミングゲートウェイが該配置情報によって異なるネットワークの端末を区別し、且つ相応のネットワークを探す。
【００７１】
５０４：Ａｕｔｈ  Ｒｅｑを受信した認証センターがユーザーを認証し、且つローミングゲートウェイに認証結果（Ａｕｔｈ  Ｒｅｓ）メッセージをフィードバックし、認証結果をローミングゲートウェイに知らせる。
【００７２】
５０５：ローミングゲートウェイがＡｕｔｈ  Ｒｅｓメッセージを受信してから、ＡＳＮ−Aにアクセス応答メッセージ（Ａｃｃｅｓｓ  Ｒｅｓ）をフィードバックし、アクセス結果をＡＳＮ−Ａに知らせる。
【００７３】
５０６：ＡＳＮ−Ａがアクセス応答メッセージを受信してから、端末にアタッチメント応答メッセージ（Ａｔｔａｃｈ  Ｒｅｓ）をフィードバックし、アタッチメント結果をローミング端末に知らせる。
【００７４】
５０７：アクセスに成功する場合、ソース端末がサービス請求を発起し、最初のデータパケット（Ｓｅｒｖｉｃｅ  Ｆｉｒｓｔ  Ｄａｔａ）を送信し、仮にソース端末がホーム場所のアプリケーションサーバーを訪問し、そのＡＩＤがＡＩＤ−Ｂであり、最初のデータパケットのソースアドレスがソース端末のＡＩＤであり、目的アドレスがＡＩＤ−Ｂであることとする。
【００７５】
５０８：ＡＳＮ−Ａがソース端末の送信したデータパケットを受信してから、ローカルでＡＩＤ−Ｂに対応するＲＩＤを問合せ、対応のＲＩＤを探し出さないと、ＡＩＤ−Ｂを解析し、目的設備がローミング場所ネットワークに属するかどうかを判断し、属しないと、ローミングゲートウェイにＡＩＤ−ＲＩＤ問合せメッセージ（ＡＩＤ−ＲＩＤ  Ｑｕｅｒｙ）を送信し、ＡＩＤ−ＲＩＤ  ＱｕｅｒｙにおいてＡＩＤ−Ｂを携帯し、且つ最初のデータパケットをローミングゲートウェイに送信し、
目的設備がローミング場所ネットワークに属すると、ＡＳＮ−Ａがローカルのマッピング転送平面からＡＩＤ−Ｂに対応するＲＩＤを問合せ、且つ該最初のデータパケットをローカルのマッピング転送平面に送信し、ローカルのマッピング転送平面がＡＩＤ−Ｂに対応するＲＩＤを問合せた後、該ＲＩＤによって最初のデータパケットを目的ＡＳＮに送信し、且つ目的設備のＡＩＤ−ＲＩＤのマッピング情報をＡＳＮ−Ａに送信し、ＡＳＮ−Ａが目的設備のＡＩＤ−ＲＩＤのマッピング情報によってローミング端末の後続のデータパケットを目的ＡＳＮに送信する。
【００７６】
５０９：ローミングゲートウェイがＡＩＤ−ＲＩＤ  Ｑｕｅｒｙ受信をしてから、目的設備のＡＩＤを解析して目的設備の所属ネットワーク（ネットワークＢ）を取得し、ネットワークＢのマッピング転送平面にＡＩＤ−ＲＩＤ  Ｒｅｑ（請求）メッセージを送信し、ＡＩＤ−ＲＩＤ  ＲｅｑにおいてＡＩＤ−Ｂを携帯し、且つ受信した最初のデータパケットをネットワークＢのマッピング転送平面に転送する。
【００７７】
５１０：ネットワークＢのマッピング転送平面がＡＩＤ−Ｂによって対応のＲＩＤを問合せ、ローミングゲートウェイにＡＩＤ−ＲＩＤ請求結果（ＡＩＤ−ＲＩＤ  Ｒｅｓ）メッセージをフィードバックし、ＡＩＤ−ＢとＲＩＤとのマッピング情報をローミングゲートウェイに送信し、ローミングゲートウェイがＡＩＤ−ＢとＲＩＤとのマッピング情報を保存する。
【００７８】
５１１：ローミングゲートウェイがＡＳＮ−ＡにＡＩＤ−ＲＩＤ  Ｑｕｅｒｙ  Ｒｅｓメッセージをフィードバックし、ＡＩＤ−ＢとＲＩＤとのマッピング情報をＡＳＮ−Ａに送信し、ＡＳＮ−ＡがローカルでＡＩＤ−ＢとＲＩＤとのマッピング情報を保存する。
【００７９】
５１２：ネットワークＢのマッピング転送平面がＡＩＤ−Ｂに対応するＲＩＤ、ソース端末の最初のデータパケットをＡＳＮ−Ｂに送信し、ＡＳＮ−Ｂが最初のデータパケットをソース端末の訪問するアプリケーションサーバーに転送し、
上記ステップ５１１の後、ＡＳＮ−ＡがすでにＡＩＤ−Ｂに対応するＲＩＤを取得し、後続のデータパケットの送信過程は、ネットワークのネットワーク作りの異なりによって、２種の可能な情況を有し、それぞれステップ５１３と５１４との記載通りである。
【００８０】
５１３：ローミングネットワークにおけるＡＳＮ−ＡがホームネットワークにおけるＡＳＮ−Ｂの媒体面チャンネルと直接に通信（ＡＳＮ−ＡがネットワークＢの認証センター及びマッピング平面と直接に通信しない。）できると、ＡＳＮ−Ａがローミング端末の媒体面データパケットを再カプセル化し、目的設備のＲＩＤとローミング端末のＲＩＤとをそれぞれ再カプセル化されたデータパケットの目的アドレスとソースアドレスとして用い、ＡＳＮ−Ｂに送信し、ＡＳＮ−Ｂが、受信したＡＳＮ−Ａによって再カプセル化されたデータパケットを逆カプセル化し、該データパケットをローミング端末の媒体面データパケットに回復し、アプリケーションサーバーに送信し、
ＡＳＮ−ＡがＡＳＮ−Ｂの媒体面と通信できる時、媒体面データはローミングゲートウェイを通る必要がない。
【００８１】
５１４：ローミングネットワークにおけるＡＳＮ−ＡがホームネットワークにおけるＡＳＮ−Ｂの媒体面と直接に通信（ＡＳＮ−ＡがネットワークＢの認証センター及びマッピング平面と直接に通信しない。）できないと、ＡＳＮ−Ａが端末の媒体面データパケットを再カプセル化し、目的設備のＲＩＤとローミング端末のＲＩＤとをそれぞれ再カプセル化されたデータパケットの目的アドレスとソースアドレスとして用い、ローミングゲートウェイに送信し、ローミングゲートウェイが該再カプセル化されたデータパケットをＡＳＮ−Ｂに送信し、ＡＳＮ−Ｂが、受信したＡＳＮ−Ａによって再カプセル化されたデータパケットを逆カプセル化し、ローミング端末の媒体面データパケットに回復し、ローミング端末の媒体面データパケットをアプリケーションサーバーに送信する。
【００８２】
ローミングゲートウェイは、データパケットを正確なＡＳＮに送信し、ＡＳＮが対応の目的端末又はアプリケーションサーバーにさらに送信するよう、データパケットの目的ＡＩＤとＲＩＤとのマッピング情報を探す必要がある。
【００８３】
ローミングゲートウェイはＡＳＮの送信したデータパケットのカプセル化フォーマット及び内容を変更しなく、データを分析、統計するだけであり、受信した各々データパケットに対してＡＩＤ−ＲＩＤのマッピング関係を探した後、正確なＡＳＮに送信する。
【００８４】
本発明はネットワーク間ローミングの実現システムをさらに提供し、身分標識と位置標識との分離するネットワークにアプリケーションされ、該システムは、ローミング端末、目的設備、ローミング場所のネットワークのＡＳＮ及びローミングゲートウェイを含み、
ローミング端末は、ローミング場所のネットワークのＡＳＮにアタッチメントされてから、目的設備に最初のデータパケットを送信することに用いられ、該最初のデータパケットの目的アドレスが目的設備のＡＩＤであり、
ローミング場所のネットワークのＡＳＮは、最初のデータパケットを受信してから、ローカルでＡＩＤ−ＲＩＤのマッピング情報を問合せ、目的設備のＲＩＤを探し出さなく、且つ目的設備がローミング場所ネットワークに属しないと、ローミングゲートウェイに目的設備のＲＩＤへの問合せを請求し、且つローミングゲートウェイのフィードバックした目的設備のＲＩＤを受信してから、該ＲＩＤによって、目的設備にローミング端末の後続のデータパケットを送信することに用いられ、
ローミング場所のネットワークのＡＳＮがローミングゲートウェイに目的設備のＲＩＤへの問合せを請求し、ローミングゲートウェイが目的設備のＲＩＤを問合せる過程は、
ローミング場所のネットワークのＡＳＮが目的設備のＡＩＤをローミングゲートウェイに送信し、目的設備のＲＩＤへの問合せを請求することと、
ローミングゲートウェイが目的設備のＡＩＤを受信してから、該ＡＩＤを解析して目的設備のホームネットワークを取得し、目的設備のＡＩＤを該目的設備のホームネットワークのマッピング転送平面に送信し、目的設備のＲＩＤへの問合せを請求することと、
目的設備のホームネットワークのマッピング転送平面が目的設備のＡＩＤによって対応のＲＩＤを問合せた後、目的設備のＡＩＤ−ＲＩＤのマッピング情報をローミングゲートウェイに送信し、ローミングゲートウェイが保存してから、ローミング場所のネットワークのＡＳＮに転送することを含む。
【００８５】
ローミングゲートウェイは、目的設備のホームネットワークから目的設備のＲＩＤを問合せ、且つローミング場所のネットワークのＡＳＮにフィードバックすることに用いられる。
【００８６】
ローミング端末がローミング場所のネットワークのＡＳＮにアタッチメントされる過程は、
ローミング端末がローミング場所のネットワークのＡＳＮにアタッチメントを請求し、ローミング端末のＡＩＤを該ローミング場所のネットワークのＡＳＮに送信することと、
ローミング場所のネットワークのＡＳＮがローミング端末のＡＩＤによって、ローミング端末がローカルネットワークに属しないことを識別し、ローミングゲートウェイにアクセスを請求することと、
ローミングゲートウェイがローミング端末のＡＩＤによってローミング端末のホームネットワークを探し、ローミング端末のホームネットワークの認証センターに認証を請求することと、
認証センターがローミング端末を認証してから、認証結果をローミングゲートウェイに知らせることと、
ローミングゲートウェイがアクセス結果をローミング場所のネットワークのＡＳＮに知らせ、ローミング場所のネットワークのＡＳＮがアタッチメント結果をローミング端末に知らせることを含む。
【００８７】
ローミング場所のネットワークのＡＳＮが目的設備のＲＩＤによって、目的設備にローミング端末の後続のデータパケットを送信する過程は、
ローミングネットワークにおけるＡＳＮがローミング端末のデータパケットを再カプセル化し、目的設備のＲＩＤとローミング端末のＲＩＤとをそれぞれ再カプセル化されたデータパケットの目的アドレスとソースアドレスとして用い、目的ＡＳＮとの間の媒体面チャンネルによって該再カプセル化されたデータパケットを目的ＡＳＮに送信することと、
目的ＡＳＮが、受信したローミングネットワークにおけるＡＳＮによって再カプセル化されたデータパケットを逆カプセル化して、ローミング端末のデータパケットに回復し、目的設備に送信することと、を含み、又は、
ローミングネットワークにおけるＡＳＮがローミング端末のデータパケットを再カプセル化し、目的設備のＲＩＤとローミング端末のＲＩＤとをそれぞれ再カプセル化されたデータパケットの目的アドレスとソースアドレスとして用い、該再カプセル化されたデータパケットをローミングゲートウェイに送信することと、
ローミングゲートウェイが目的設備のＲＩＤによって、該再カプセル化されたデータパケットを目的ＡＳＮに送信することと、
目的ＡＳＮが、受信したローミングネットワークにおけるＡＳＮによって再カプセル化されたデータパケットを逆カプセル化して、ローミング端末のデータパケットに回復し、目的設備に送信することを含む。
【００８８】
ローミング場所のネットワークのＡＳＮは、ローミングゲートウェイに目的設備のＲＩＤへの問合せを請求する時、最初のデータパケットをローミングゲートウェイに送信することにさらに用いられ、
ローミングゲートウェイは、目的設備のホームネットワークから目的設備のＲＩＤを問合せる時、最初のデータパケットを目的設備のホームネットワークに送信することにさらに用いられ、
目的設備のホームネットワークは、目的設備のＲＩＤを問合せた後、該問合せられたＲＩＤによって最初のデータパケットを目的ＡＳＮに送信することにさらに用いられる。
【００８９】
ローミング場所のネットワークのＡＳＮがローミングゲートウェイにＡＩＤ−ＲＩＤ問合せメッセージを送信することによって、該ＡＩＤ−ＲＩＤ問合せメッセージにおいて目的設備のＡＩＤを携帯し、目的設備のＲＩＤへの問合せを請求し、
ローミングゲートウェイが目的設備のホームネットワークのマッピング転送平面にＡＩＤ−ＲＩＤ請求メッセージを送信することによって、該ＡＩＤ−ＲＩＤ請求メッセージにおいて目的設備のＡＩＤを携帯し、目的設備のＲＩＤへの問合せを請求し、
目的設備のホームネットワークのマッピング転送平面がローミングゲートウェイにＡＩＤ−ＲＩＤ請求結果メッセージをフィードバックすることによって、目的設備のＡＩＤとＲＩＤとのマッピング情報をローミングゲートウェイに送信し、
ローミングゲートウェイがローミング場所のネットワークのＡＳＮにＡＩＤ−ＲＩＤ問合せ結果メッセージを送信することによって、目的設備のＡＩＤとＲＩＤとのマッピング情報をローミング場所のネットワークのＡＳＮに送信する。
【００９０】
ローミング端末がアタッチメント請求メッセージを送信することによって、ローミング場所のネットワークのＡＳＮにアタッチメントを請求し、アタッチメント請求メッセージにおいてローミング端末のＡＩＤを携帯し、
ローミング場所のネットワークのＡＳＮがアクセス請求メッセージを送信することによって、ローミングゲートウェイにアクセスを請求し、
ローミングゲートウェイが認証請求メッセージを送信することによって、ローミング端末のホームネットワークの認証センターに認証を請求し、
認証センターが認証結果メッセージを送信することによって、認証結果をローミングゲートウェイに知らせ、
ローミングゲートウェイがアクセス応答メッセージを送信することによって、アクセス結果をローミング場所のネットワークのＡＳＮに知らせ、
ローミング場所のネットワークのＡＳＮがアタッチメント応答メッセージを送信することによって、アタッチメント結果をローミング端末に知らせる。
【００９１】
ローミング場所のネットワークのＡＳＮには本ネットワークＡＩＤ範囲の配置情報が保存され、該ローミング場所のネットワークのＡＳＮが本ネットワークＡＩＤ範囲の配置情報によって本ネットワークの端末とローミング端末とを区別し、
ローミングゲートウェイに該ローミングゲートウェイと接続する各ネットワークＡＩＤ範囲の配置情報が保存され、ローミングゲートウェイが各ネットワークＡＩＤ範囲の配置情報によって、異なるネットワークの端末を区別する。
【００９２】
システムにおけるネットワーク要素の他の機能は方法内容の記載をご参照ください。
【００９３】
例示を目的として、本発明の好ましい実施例を開示しておるが、当業者が各種の改善、増加及び代替に気づく可能性もあるので、本発明の範囲は上記実施例に限定するべきではない。
【００９４】
普通の当業者は上記方法におけるすべて又は一部のステップが、プログラムが関連ハードウェアを指令することによって完成可能であるのを分かることができ、前記プログラムがコンピュータの可読記憶媒体、例えば、リードオンリーメモリ、磁気ディスク又は光ディスク等に記憶されてもよい。選択可能に、上記実施例のすべて又は一部のステップは１つの或複数の集積回路によって実現されることもできる。それなりに、上記実施例における各モジュール／ユニットはハードウェアの形式で実現されることができ、ソフトウェア機能モジュールの形式で実現されることもできる。本発明はいずれの特定形式のハードウェアとソフトウェアとの結合に限定されない。
【産業上の利用可能性】
【００９５】
本発明は、下記の有益な効果を有する。
【００９６】
（１）ネットワークが簡単で、ローミングゲートウェイによって各ネットワークとの間で相互接続相互運用を行い、あるネットワークから見ると、ローミングゲートウェイがそのネットワークにおける一部であり、ローミングしていくサービスはローミングゲートウェイからホームネットワークにアクセスされるものであり、あるネットワークは他のローミングパートナーと複雑なネットワーク構造を構築する必要がなく、ネットワーク構造を簡素化する。
【００９７】
（２）ローミングゲートウェイがネットワーク分離機能と、ネットワークに対して他のローミングパートナーをシールドするネットワーク構造とを備え、ネットワークはローミングゲートウェイと通信の関連のデータ配置だけを行えばよく、ローミングパートナーのネットワーク構造を知る必要がない。
【００９８】
（３）ローミングゲートウェイがネットワーク間決済と統計との機能を備え、各ローミングパートナーの間のサービストラフィックを統計でき、チャージ決済、サービスの展開計画の作成、運営最適化等に便利である。
【００９９】
（４）ローミング関係の高速構築に便利で、ネットワークはローミングゲートウェイと相互接続相互運用を行うだけで技術上、複数のネットワークとのローミングサービスを同時に開通でき、建設時間を節約する。
【図１】
0005427952.tif 000002
【図２】
0005427952.tif 000003
【図３】
0005427952.tif 000004
【図４】
0005427952.tif 000005
【図５】
0005427952.tif 000006